(57)【要約】  基地局が、少なくとも１つの他の基地局から、上記他の基地局の各々の少なくとも１つの他のセルに関連付けられた少なくとも１つの個別のトラッキングエリアを識別する情報を受信する通信システムが開示される。また、上記基地局は、コアネットワークから、ユーザ機器（ＵＥ）の登録エリアを識別する情報を受信する。上記基地局は、少なくとも１つの個別のトラッキングエリアを識別する受信情報と、登録エリアを識別する受信情報とに基づいて、無線アクセスネットワーク（ＲＡＮ）に基づく上記ＵＥの通知エリアを定義する。【選択図】図３
2020530242.tif 000002
【特許請求の範囲】
【請求項１】
通信システム内の無線アクセスネットワーク（ＲＡＮ）ノードによって実行される方法であって、
少なくとも１つの他のＲＡＮノードから、前記少なくとも１つの他のＲＡＮノードの少なくとも１つのセルに関連付けられた少なくとも１つの個別のトラッキングエリアを識別する情報を受信すること、
アクセス及びモビリティ管理機能（ＡＭＦ）から、トラッキングエリアのトラッキングエリア識別子を少なくとも含むトラッキングエリアリストを含み、ユーザ機器（ＵＥ）に設定された登録エリアを識別する情報を受信すること、
前記ＵＥのＲＡＮベースの通知エリアであって、少なくとも１つのセルをカバーし、前記ＵＥがＲＲＣ非アクティブ状態を維持して移動することのできるエリアを示し、前記登録エリア内に含まれる、前記ＲＡＮベースの通知エリアを、前記ＵＥ登録エリアを考慮に入れて設定すること、および
前記ＲＡＮベースの通知エリアを前記ＵＥに設定するための情報を前記ＵＥに送信すること、を含む方法。
【請求項２】
前記登録エリアを識別する情報は、前記ＵＥ用の初期ＵＥコンテキストセットアップ手順の一部として受信される、請求項１に記載の方法。
【請求項３】
前記ＵＥの登録エリアを識別する情報は、初期ＵＥコンテキストセットアップ要求メッセージ内で受信される、請求項２に記載の方法。
【請求項４】
前記ＵＥの登録エリアを識別する情報は、前記ＵＥのトラッキングエリア更新手順の一部として（または、例えば直後など前記更新手順後に）受信される、請求項１に記載の方法。
【請求項５】
前記少なくとも１つの個別のトラッキングエリアを識別する情報は、所定の他のＲＡＮノードについて、当該ＲＡＮとの基地局間ダイレクトインタフェースまたは基準点（および、Ｘ２またはＸｎインタフェースなど）を介して受信される、請求項１〜４のいずれか一項に記載の方法。
【請求項６】
少なくとも１つの個別のＲＡＮエリアを識別する情報を受信することをさらに含む、請求項１〜５のいずれか一項に記載の方法。
【請求項７】
前記ＵＥのＲＡＮベースの通知エリアの定義は、前記少なくとも１つの個別のＲＡＮエリアを識別する受信情報にさらに基づく、請求項６に記載の方法。
【請求項８】
各ＲＡＮエリアは、当該ＲＡＮノードに関連付けられたトラッキングエリアを形成する（例えば、より小さいエリアを示す）少なくとも１つのセルのサブセットを含む、請求項６または７に記載の方法。
【請求項９】
所定の他のＲＡＮについて、前記少なくとも１つの個別のＲＡＮエリアを識別する情報は、当該ＲＡＮノードとの基地局間ダイレクトインタフェースまたは基準点（および、Ｘ２またはＸｎインタフェースなど）を介して受信される、請求項６、７または８に記載の方法。
【請求項１０】
前記少なくとも１つの個別のＲＡＮエリアを識別する情報は、運用、管理および保守（ＯＡＭ：Ｏｐｅｒａｔｉｏｎｓ，  Ａｄｍｉｎｉｓｔｒａｔｉｏｎ  ａｎｄ  Ｍａｉｎｔｅｎａｎｃｅ）機能によって受信される、請求項６、７または８に記載の方法。
【請求項１１】
前記少なくとも１つの個別のＲＡＮエリアを識別する情報は、（例えば、地上波公共移動通信ネットワーク（ＰＬＭＮ：Ｐｕｂｌｉｃ  Ｌａｎｄ  Ｍｏｂｉｌｅ  Ｎｅｔｗｏｒｋ）内のトラッキングエリアの）トラッキングエリア識別子（ＴＡＩ）と、オプションとして、ＲＡＮＡＣ（無線アクセスネットワークエリアコード）と、を含む、請求項１〜１０のいずれか一項に記載の方法。
【請求項１２】
前記ＲＡＮベースの通知エリアを前記ＵＥに設定するための情報は、前記ＲＡＮベースの通知エリアを構成する少なくとも１つのセルの明示的なリストを含む、請求項１〜１１のいずれか一項に記載の方法。
【請求項１３】
前記ＲＡＮベースの通知エリアを前記ＵＥに設定するための情報は、ＲＡＮエリアの少なくとも１つのＲＡＮエリア識別子を含む、請求項１〜１１のいずれか一項に記載の方法。
【請求項１４】
前記ＲＡＮベースの通知エリアは、前記ＵＥ登録エリアを考慮に入れて、前記登録エリアを形成するセルのサブセットを構成する少なくとも１つのセルを示す（例えば、登録エリアより小さいエリアを示す）ように設定される、請求項１〜１３のいずれか一項に記載の方法。
【請求項１５】
少なくとも１つのＲＡＮエリア識別子をシステム情報でブロードキャストすることをさらに含む、請求項１〜１４のいずれか一項に記載の方法。
【請求項１６】
前記ＲＲＣ非アクティブ状態は、前記ＵＥがサポートする複数のＲＲＣ状態の１つであり、前記複数のＲＲＣ状態は、前記ＲＲＣ非アクティブ状態に加えて、ＲＲＣ接続状態およびＲＲＣアイドル状態を含む、請求項１〜１５のいずれか一項に記載の方法。
【請求項１７】
通信システム内のコアネットワーク機能によって実行される方法であって、
ユーザ機器（ＵＥ）のコアネットワーク登録エリアと、少なくとも前記ＵＥが位置するトラッキングエリアを含む前記登録エリアとを定義すること、および
少なくとも１つの無線アクセスネットワーク（ＲＡＮ）ノードに、識別された各トラッキングエリアのトラッキングエリア識別子を少なくとも含むトラッキングエリアリストを含む、前記ＵＥに設定された登録エリアを識別する情報、を与えること、を含む方法。
【請求項１８】
通信システム内のユーザ機器（ＵＥ）によって実行される方法であって、
前記ＵＥがＲＲＣ非アクティブ状態である間に、少なくとも１つの無線アクセスネットワーク（ＲＡＮ）ノードから、ＲＡＮベースの通知エリアを前記ＵＥに設定するための情報を受信することを含み、前記ＲＡＮベースの通知エリアは、登録エリアを考慮に入れて、少なくとも１つのセルをカバーし、コアネットワーク（ＣＮ）登録エリア内に含まれ、前記ＵＥが非アクティブ状態を維持して移動することのできるエリアを示すように設定されるエリアを示す、方法。
【請求項１９】
通信システムの無線アクセスネットワーク（ＲＡＮ）ノードであって、
コントローラおよびトランシーバを具備し、
前記コントローラは、前記トランシーバを、
少なくとも１つのＲＡＮノードから、前記少なくとも１つの他のＲＡＮノードの少なくとも１つのセルに関連付けられた少なくとも１つの個別のトラッキングエリアを識別する情報を受信し、
アクセス及びモビリティ管理機能（ＡＭＦ）から、トラッキングエリアのトラッキングエリア識別子を少なくとも含むトラッキングエリアリストを含み、ユーザ機器（ＵＥ）に設定された登録エリアを識別する情報を受信するように制御し、
前記ＵＥのＲＡＮベースの通知エリアであって、少なくとも１つのセルをカバーし、前記ＵＥがＲＲＣ非アクティブ状態を維持して移動することのできるエリアを示し、前記登録エリア内に含まれる、前記ＲＡＮベースの通知エリアを、前記ＵＥ登録エリアを考慮に入れて設定し、
前記トランシーバを、前記ＲＡＮベースの通知エリアをＵＥに設定するための情報をＵＥに送信するように制御するように構成される、ＲＡＮノード。
【請求項２０】
通信システムのコアネットワーク機能であって、
コントローラおよびトランシーバを具備し、
前記コントローラは、
ユーザ機器（ＵＥ）のコアネットワーク登録エリアと、前記ＵＥが位置するトラッキングエリアを少なくとも含む登録エリアとを定義し、
少なくとも１つの無線アクセスネットワーク（ＲＡＮ）ノードに、識別された各トラッキングエリアのトラッキングエリア識別子を少なくとも含むトラッキングエリアリストを含み、前記ＵＥに設定された登録エリアを識別する情報を与えるように構成される、コアネットワーク機能。
【請求項２１】
通信システム内のユーザ機器であって、少なくとも１つの無線アクセスネットワーク（ＲＡＮ）ノードから、ＲＡＮベースの通知エリアを前記ＵＥに設定するための情報を受信し、
前記ＲＡＮベースの通知エリアは、前記登録エリアを考慮に入れて、少なくとも１つのセルをカバーし、コアネットワーク（ＣＮ）登録エリアに含まれ、前記ＵＥが非アクティブ状態を維持して移動することのできるエリアを示すように設定されたエリアを示す、ユーザ機器。
【発明の詳細な説明】
【技術分野】
【０００１】
本発明は、通信システムに関する。特に、本発明は、３ＧＰＰ（３ｒｄ  Ｇｅｎｅｒａｔｉｏｎ  Ｐａｒｔｎｅｒｓｈｉｐ  Ｐｒｏｊｅｃｔ）規格、またはこれと同等もしくは派生の規格（ＬＴＥ−Ａｄｖａｎｃｅｄ規格、および次世代または５Ｇネットワークを含む）に従って動作する無線通信システムおよびそのデバイスに関するが、これに限定されない。特に、本発明は、非アクティブ状態のユーザ機器のトラッキングに関わる改良に関するが、これに限定されない。
【背景技術】
【０００２】
３ＧＰＰ規格の最新動向は、ＥＰＣ（Ｅｖｏｌｖｅｄ  Ｐａｃｋｅｔ  Ｃｏｒｅ）ネットワークおよびＥ−ＵＴＲＡＮ（Ｅｖｏｌｖｅｄ  ＵＭＴＳ  Ｔｅｒｒｅｓｔｒｉａｌ  Ｒａｄｉｏ  Ａｃｃｅｓｓ  Ｎｅｔｗｏｒｋ）のＬＴＥ（Ｌｏｎｇ  Ｔｅｒｍ  Ｅｖｏｌｕｔｉｏｎ）と呼ばれ、一般に４Ｇとも呼ばれる。さらに、５ＧおよびＮＲ（Ｎｅｗ  Ｒａｄｉｏ）という用語は、種々のアプリケーションおよびサービスをサポートすることが期待される開発中の通信技術を指す。５Ｇネットワークの種々の詳細は、例えば、ＮＧＭＮ（Ｎｅｘｔ  Ｇｅｎｅｒａｔｉｏｎ  Ｍｏｂｉｌｅ  Ｎｅｔｗｏｒｋｓ）アライアンスによるＮＧＭＮ  ５Ｇ  Ｗｈｉｔｅ  Ｐａｐｅｒ  Ｖ１．０に説明されており、当該文書は、ｈｔｔｐｓ：／／ｗｗｗ．ｎｇｍｎ．ｏｒｇ／５ｇ−ｗｈｉｔｅ−ｐａｐｅｒ．ｈｔｍｌから入手可能である。３ＧＰＰは、いわゆる３ＧＰＰ  ＮｅｘｔＧｅｎ（  Ｎｅｘｔ  Ｇｅｎｅｒａｔｉｏｎ）無線アクセスネットワーク（ＲＡＮ：Ｒａｄｉｏ  Ａｃｃｅｓｓ  Ｎｅｔｗｏｒｋ）および３ＧＰＰ次世代コアネットワークを介して５Ｇをサポートすることが計画されている。
【０００３】
３ＧＰＰ規格では、ＬＴＥ（または５ＧのｇＮＢ／ＮＧ−ＲＡＮノード）におけるｅＮＢは、通信デバイス（ユーザ機器または「ＵＥ」）がコアネットワークに接続し、他の通信デバイスまたはリモートサーバと通信を行うための基地局である。説明の簡略化のため、本出願において、基地局という用語はそのような基地局を指し、ＵＥ、ユーザデバイス、またはＵＥという用語はそのような通信デバイスを指すものとする。コアネットワーク（すなわち、ＬＴＥの場合のＥＰＣ）は、加入者管理、モビリティ管理、課金、セキュリティ、および呼セッション管理（など）の機能を統括し、通信デバイスをインターネットなどの外部ネットワークに接続させる。
【０００４】
ユーザ機器（ＵＥ）のアイテムには、例えば、モバイル電話、スマートフォン、ユーザ機器、パーソナルデジタルアシスタント、ラップトップ／タブレットコンピュータ、Ｗｅｂブラウザ、電子書籍リーダなどのモバイル通信デバイスが含まれる。このようなモバイル（または一般的には固定の）デバイスは、通常、ユーザによって操作される。しかしながら、３ＧＰＰ規格は、いわゆる「モノのインターネット」（ＩｏＴ：Ｉｎｔｅｒｎｅｔ  ｏｆ  Ｔｈｉｎｇｓ）のデバイス（例えば、狭帯域ＩｏＴ（ＮＢ−Ｉｏｔ：Ｎａｒｒｏｗ  Ｂａｎｄ−ＩｏＴ）デバイス）をネットワークに接続することも可能にし、これらのデバイスは、通常、種々の測定機器、テレメトリ機器、監視システム、トラッキングおよびトレーシングデバイス、車載安全システム、車両メンテナンスシステム、道路センサ、デジタル広告板、ＰＯＳ（Ｐｏｉｎｔ  Ｏｆ  Ｓａｌｅ）端末、遠隔操作システムなどの自動化装置を含む。事実上、モノのインターネットとは、適切な電子機器、ソフトウェア、センサ、ネットワーク接続機能などを備えたデバイス（または「モノ」）のネットワークであり、これらのデバイスが相互に、および他の通信デバイスと、データを収集および交換することを可能にする。ＩｏＴデバイスは、ＭＴＣ（Ｍａｃｈｉｎｅ−Ｔｙｐｅ  Ｃｏｍｍｕｎｉｃａｔｉｏｎ）通信デバイスまたはＭ２Ｍ（Ｍａｃｈｉｎｅ−ｔｏ−Ｍａｃｈｉｎｅ）通信デバイスとも呼ばれる。
【０００５】
説明の簡略化のため、本出願は、明細書中においてＵＥ全般を参照するが、本明細書に記載の技術は、任意の（モバイルおよび／または一般的には固定の）通信デバイス上で実施可能であり、当該通信デバイスは、人による入力によって制御されるか、またはメモリに格納されたソフトウェアの命令によって制御されるかに関わらず、データを送受信するための通信ネットワークに接続可能であるものとする。
【０００６】
ＵＥと基地局との間の通信は、３ＧＰＰ  ＴＳ  ３６．３３１の現行のバージョンで定義されているＲＲＣプロトコルに基づくＲＲＣ（Ｒａｄｉｏ  Ｒｅｓｏｕｒｃｅ  Ｃｏｎｔｒｏｌ）層を使用して制御される。ＲＲＣレイヤは、ＵＥと無線アクセスネットワークとの間のレイヤ３（ネットワーク層）の制御プレーンシグナリングを処理し、特に、システム情報のブロードキャスト、ページング、接続の確立および解放、無線ベアラの確立、再構成および解放、モビリティ手順、ならびに電力制御の機能を含む。ＲＲＣプロトコルの現行のバージョンによると、ＵＥは、任意の時点において、「ＲＲＣアイドルモード（データ通信が行われない）」または「ＲＲＣ接続モード（ＵＥとそのサービング基地局との間でデータ通信が行われる可能性がある）」のいずれかで動作する。
【０００７】
ＲＲＣ接続モードで動作するＵＥが、通信システムでカバーされるエリア内を移動すると、信号の状態や、要求されるサービス品質、使用されるサービスの種類、システム全体の負荷などの他の要件に応じて、あるセル（すなわち、基地局によって運用されるセル）から別のセル（同一または異なる基地局によって運用されるセル）にハンドオーバされる。ハンドオーバでは、ＵＥと（ハンドオーバ前後の）基地局との間、さらには基地局とコアネットワークとの間においても、大規模なシグナリングが必要となる。
【０００８】
一方、ＲＲＣアイドルモードでは、ＵＥは、高品質の信号を有する「サービング」セルを選択してキャンプするようにプログラムされているため、これらのＵＥに新しいデータを送信したり、これらのＵＥから新しいデータを送信したりする際に、好適な信号条件を享受することができる。アイドル状態のＵＥが、例えばその位置を変更したことで、現在のサービングセルよりも優れた信号品質を有する新しいセルを検出した場合、当該ＵＥは、いわゆるセル再選択手順を行うことができる。しかしながら、選択された新しいセルが同一「トラッキングエリア（ＴＡ）」（すなわち、予め定義されたセルのセットを含むより大きな地理的エリア）内にある限り、アイドルモードのＵＥは、当該セルについてネットワークに通知を行わない。これは、無線ネットワークは、システム情報とＵＥ固有のページングメッセージとをＴＡ内の全体で送信するため、ＴＡのどのセルでＵＥが現在キャンプしているかに関わらず、当該ＵＥにコンタクトしたり、当該ＵＥに対する又は当該ＵＥからの通信を開始したりすることができるためである。トラッキングエリア識別子（ＴＡＩ）は、各トラッキングエリアを識別するのに使用される。ＴＡの使用は、ＵＥがネットワークに登録する際に、コアネットワークノード（例えば、モビリティ管理エンティティ（ＭＭＥ：Ｍｏｂｉｌｉｔｙ  Ｍａｎａｇｅｍｅｎｔ  Ｅｎｔｉｔｙ））がＴＡのセット（「リスト」）を当該ＵＥに割り当てる、いわゆる「トラッキングエリアリストコンセプト」によって拡張されてきた。このＴＡのセットの中心を当該ＵＥの現在位置に確実に近づけることにより、ＵＥが別のトラッキングエリアへ唐突にアップデートする可能性を低減することができる。実際には、ＴＡリスト（ＴＡＬ）は、ＵＥのコアネットワーク定義エリア（コアネットワーク（ＣＮ）登録エリアと呼ばれる）を表す。
【０００９】
エネルギー消費を最小限に抑え、貴重なシステムリソースを解放するために、ＵＥは可能な限りＲＲＣアイドルモードに戻り、同一ＴＡ内に残る限り、（ハンドオーバの代わりに）セルの再選択を行う。基地局は、そのセル内の各ＵＥに対して、種々の動作モード間の移行を制御する。基地局とＵＥとの間のＲＲＣ接続のセットアップと終了には、貴重なシステムリソースを使用してシグナリングメッセージを交換する必要があり、また、完了には一定の時間を要するため、接続モードからアイドルモードへの移行は、３ＧＰＰ  ＴＳ  ３６．３３１に定義される特定の状況下において許可される。例えば、サービング基地局は、特定のＵＥに送信する、または特定のＵＥから送信されるデータがもうない（例えば、アップリンク（ＵＬ）およびダウンリンク（ＤＬ）の両方のバッファが空である）ことを確認した後にのみ、ＵＥにＲＲＣアイドルモードに入るように指示をしてもよい。
【００１０】
各ＵＥが現在位置（例えば、セル）をコアネットワークに登録すると、対応する「Ｓ１」接続が、各ＵＥのサービング基地局とコアネットワークとの間に付与される。Ｓ１接続とは、いわゆる「ＥＣＭ−ＩＤＬＥ」モード（ＵＥがＲＲＣアイドルモードの場合）または「ＥＣＭ−ＣＯＮＮＥＣＴＥＤ」モード（ＵＥがＲＲＣ接続モードの場合）のいずれかである。Ｓ１接続は、ＵＥとコアネットワークとの間で（およびその範囲を超えて）データ（制御データおよびユーザデータ）を転送するのに使用され、ＵＥがＲＲＣ接続モードである限り維持される。一方で、ＵＥがＲＲＣアイドルモードに入ると、ＵＥにおいて送信または受信するデータが発生するまで対応するＳ１接続も終了（または中断）し、その場合、現在のサービング基地局に対する新しいＳ１接続が確立される（または中断したＳ１接続が再有効化される）。
【００１１】
ＲＲＣアイドルモードのＵＥに送信するデータをネットワークが有する場合、当該ネットワークは、ＵＥの最後の既知のエリア（トラッキング／ページングエリア）において適切なページング手順をトリガし、これにより、当該エリア内の基地局が、それぞれのセル内で、特定のＵＥにＲＲＣ接続状態に入るように要求する適切なページングメッセージをブロードキャストする。アイドル状態にあったモバイル電話が、送信するデータを再度有する場合（または下りデータを受信するようにページングされた場合）、当該モバイル電話は、通信リソースの割り当てを受けるために、適切にフォーマットされたＲＲＣ接続要求メッセージを基地局に送信することにより、いわゆるＲＲＣ接続確立手順を開始する（下位層、特にメディアアクセス制御（ＭＡＣ）層が基地局との通信用にセットアップされることを保証する、いわゆるランダムアクセス手順に従う）。
【００１２】
３ＧＰＰ規格の最新動向である、いわゆる次世代（ＮＧ）または５Ｇネットワークについては、ＵＥは、新しいＲＲＣ状態、または「ＲＲＣ非アクティブ」状態（例えば、５Ｇ）もしくは「ライト接続」（ＬＣ：Ｌｉｇｈｔ−Ｃｏｎｎｅｃｔｅｄ）状態／モード（例えば、ＬＴＥ／４Ｇ）と呼ばれる新しい無線状態で動作することも想定される。説明の簡略化のため、「非アクティブ状態」という用語は、５ＧのＲＲＣ非アクティブ状態とＬＴＥ／４ＧのＬＣ状態／モードの両方を指して用いられるものとする。
【００１３】
ＵＥが非アクティブ状態の場合、ＵＥにおいて送信または受信するデータがなくなった後でも、ＲＡＮ（基地局）とコアネットワークとの間で、制御プレーン接続（例えば、５ＧのＮＧ２基準点または４Ｇ／ＬＴＥのＳ１−ＭＭＥを介する）およびユーザプレーン接続（例えば、５ＧのＮＧ３基準点または４Ｇ／ＬＴＥのＳ１−Ｕを介する）の両方が維持される（したがって、通常、ＵＥはＲＲＣアイドルモードに入るように構成される）。言い換えれば、非アクティブ状態中であっても、ＲＡＮの観点からは、ＵＥはアイドルモードで動作していると見なされる。基地局と非アクティブ状態のＵＥとの間にアクティブなＲＲＣ接続がない場合でも、当該非アクティブ状態は、コアネットワークに対して透過的であってもよい（あるいは透過的でなくてもよい）とされる（すなわち、コアネットワークの観点からは、接続しているものと見なされる）。この新しい非アクティブ状態の利点の１つは、データ送信が小規模かつ低頻度であるＵＥ（特にＩｏＴデバイス）は、送信（または受信）するデータが発生するたびにＲＲＣ接続を確立するための全手順を行う必要はないことである。その代わりに、非アクティブ状態のＵＥは、必要に応じて現在のサービング基地局との既存のＲＲＣ接続を再開し、送受信するデータが再度発生するまで、より電力効率の良い動作モードに戻るように構成することができる。
【００１４】
ＵＥは、再開する接続を識別する情報（再開ＩＤなど）を現在の基地局に送信することにより、ＲＲＣ接続を再開することができる。これにより、基地局とＵＥが認証および無線ベアラの確立を行う必要がないという利点が得られる。このような非アクティブな接続を容易にし、ＵＥとそのサービング基地局との間の接続を再開することを容易にするために、いわゆるアンカー基地局の概念が３ＧＰＰで検討されている。実際には、アンカー基地局は、ＵＥアクセス層（ＡＳ：Ａｃｃｅｓｓ  Ｓｔｒａｔｕｍ）のコンテキストを格納し、ＵＥのユーザデータ（ＵＥコンテキスト）をキャッシュし、ＮＧコアネットワーク接続（ＮＧ２／ＮＧ３）を終了する際に、必要に応じて他の基地局へユーザデータを与える役割を担う基地局である。例えば、アンカー基地局は、ＵＥが特定のＴＡ（または事前に定義された他のエリア）に登録した最初の（または過去の）基地局であってよい。したがって、ＵＥが（同一エリア内で）異なる基地局を介してＲＲＣ接続を再開しようとすると、新しい基地局はアンカー基地局に接続し、ＵＥから提供された情報（例えば、再開ＩＤなど）に基づいて、キャッシュされたユーザデータとともにＵＥコンテキストを取得することができる。非アクティブ状態ではＮＧ２／ＮＧ３接続が維持されるため、新しい基地局は、コアネットワークにコンタクトしたり、ＵＥのために新しいＮＧ２／ＮＧ３接続を確立したりする必要がなくなるという利点がある（しかしながら、新しい基地局では、ＮＧ２／ＮＧ３接続をアンカー基地局／以前の基地局から新しい基地局に切り替える必要がある可能性がある）。この手順は「アンカー再配置」とも呼ばれ、ＵＥコンテキストを転送しながら、ＮＧ２／ＮＧ３終端ポイントをアンカー基地局から新しいサービング基地局に切り替えることが含まれる。
【００１５】
３ＧＰＰにおける現在の合意は、ＵＥが非アクティブ状態にある間、基地局がＮＧ２／ＮＧ３接続を維持すること、および（コアネットワークではなく）ＲＡＮが、必要に応じて、ＵＥに接触するための通知手順を開始し、当該通知に関するパラメータを設定する役割を担うということである。より具体的には、全接続を再開する必要がある場合に、ＲＡＮの基地局は、ページングのような手順で（例えば、コアネットワークから下りデータを受信するために）ＵＥに通知を行う役割を担う（「ＲＡＮベースの通知」または「ＲＡＮベースのページング」と呼ばれる）。
【００１６】
基地局による効率的なＲＡＮベースの通知を容易にするため、最近の動向によると、非アクティブ状態のＵＥ（例えば、ＲＲＣ＿ＩＮＡＣＴＩＶＥ）に、当該ＵＥに対応するコアネットワークの登録エリアのサブセットであるＲＡＮベースの通知エリアを設定することができ、当該ＲＡＮベースの通知エリアは１つまたは複数のセルを含んでもよい。ＲＡＮベースの通知エリアはＵＥ固有であり、個別シグナリングを介して基地局により設定可能である。さらに、適切なインタフェース（Ｘｎなど）を介した基地局間ダイレクト通信は、ＲＡＮベースの通知エリアの基地局間で利用することができる。このＲＡＮベースの通知エリア内を移動する間（およびその境界内に留まる間）、ＵＥは、ネットワークに対してその位置を更新するための手順を開始する必要はない（すなわち、ＵＥは「位置更新」指示を送信しない）。しかしながら、そのエリアを離れる場合、ＵＥは、その位置をネットワークに更新する（例えば、位置エリア更新またはトラッキングエリア更新手順を用いる）。このように、基地局ＲＡＮは、１つのＲＡＮベースの通知エリアから別の通知エリアへの当該ＵＥの移動を認識し続けることができる。
【発明の概要】
【発明が解決しようとする課題】
【００１７】
ＲＡＮベースの通知エリアを設定するにあたって、基地局には種々の選択肢がある。例えば、所定のＲＡＮベースの通知エリアを構成するセルの明示的なリストが、ＵＥに通知されてもよい。当該リストは、単一のセルで構成されるＲＡＮベースの通知エリアを実装するための単一のエントリのみを含み得るものとする。
【００１８】
別の例では、ＲＡＮベースの通知エリアは、それぞれが個別のＲＡＮエリア識別子（ＲＡＮＡＩＤ）を有する１つまたは複数の別個のＲＡＮエリアとして（例えば、ネットワーク内で）設定されてもよい。このように、各ＵＥに、当該ＵＥが位置エリアの更新を開始することなく移動することのできるＲＡＮエリアを示す１つまたは複数のＲＡＮエリアＩＤを識別する情報（例えば、１つまたは複数のＲＡＮエリアＩＤのリスト）が与えられてもよい。特定のセルが特定のＲＡＮエリアの一部であるか否かをＵＥが判断できるようにするには、各セルは、当該セルが属するＲＡＮエリアのＲＡＮエリアＩＤを（例えば、システム情報で）ブロードキャストしてもよい。
【００１９】
これらの例のいずれか一方または両方がサポートされるものとする。例えば、高モビリティのＵＥの場合、基地局は、ＵＥが非アクティブ状態を維持することのできるＲＡＮベースの通知エリアを示す１つまたは複数のＲＡＮエリアＩＤのリストを設定してもよい。一方、低モビリティのＵＥの場合、基地局は、ＵＥが非アクティブ状態を維持することのできるＲＡＮベースの通知エリアを示す１つまたは複数のセルのリストを設定してもよい。この場合、基地局によってＲＡＮエリアＩＤのブロードキャストが引き続き行われる。
【００２０】
したがって、設定されたＲＡＮベースの通知エリアに属さないセルを再選択する場合（例えば、再開手順を使用して、ＲＡＮベースの位置エリア更新（ＲＬＡＵ）をＲＡＮに通知する場合）、非アクティブ状態のＵＥはＲＡＮに通知を行うことができ、その場合、ネットワークは、当該ＵＥを非アクティブモードに維持するか、ＵＥを「中断」する（例えば、ＲＲＣアイドルモードに入ることを要求する）か、を決定することができる。再開手順による、ＲＡＮベース位置エリアの更新（ＲＬＡＵ）についても、周期的にトリガしてもよい。これに関して、接続再開メッセージは、少なくともＲＡＮエリア更新を示すことができる情報全般を含み、さらに、アクセス制御を可能にする情報を含んでもよい。非アクティブ状態のＵＥがＴＡ境界を越える際に、当該ＵＥは（ＲＡＮエリアに基づくＲＡＮ更新に加えて）ＣＮレベルの位置更新を行ってもよい。
【００２１】
図１では、トラッキングエリアとＲＡＮエリア（上記のＲＡＮエリアの例が使用されている場合）のプランニングは、オペレータによって行われ、運用、管理および保守（ＯＡＭ：Ｏｐｅｒａｔｉｏｎｓ，  Ａｄｍｉｎｉｓｔｒａｔｉｏｎ  ａｎｄ  Ｍａｉｎｔｅｎａｎｃｅ）機能を介して設定される。オペレータのプランニングでは、図１（ａ）に示すように、所定のＲＡＮベースの通知エリアの任意のＲＡＮエリアが１つのトラッキングエリアのサブセットを構成することを保証する必要がある。このように、図１（ｂ）に示す、ＲＡＮエリアが２つのトラッキングエリアに跨るシナリオを回避する必要がある。
【００２２】
図２（ａ）に示すように、ＲＡＮベースの通知エリアが、所定のＵＥのコアネットワーク登録エリアのサブセットを構成することを確認することも効果的である。しかしながら、本発明者らは、現在の提案では、ＲＡＮベースの通知エリアが所定のＵＥのコアネットワーク登録エリアのサブセットを構成することを保証できないことを認識している。したがって、所定のＵＥについて、そのＲＡＮベースの通知エリアのすべてのＲＡＮエリアがそのコアネットワーク登録エリア内にない、図２（ｂ）に示すシナリオが発生する可能性がある。具体的には、図２（ｂ）の例では、ＲＡＮベースの通知エリアを設定するＲＡＮエリアには、トラッキングエリアＴＡ１の一部であるＲＡＮＡ３と、トラッキングエリアＴＡ２の一部であるＲＡＮＡ４およびＲＡＮＡ５とが含まれる。しかしながら、ＴＡ１は、ＴＡ２が属するＵＥのコアネットワーク登録エリアのＴＡＬの一部ではない。したがって、ＵＥのＲＡＮベースの通知エリアは、当該ＵＥのコアネットワーク登録エリアのサブセットではなく、好ましくない。本発明者らは、この問題が発生し得ることを理解している。これは、例えば、（ＴＡＬに対応する）コアネットワーク登録エリアと、ＲＡＮベースの通知エリア（すなわち、上記のＲＡＮエリアの例を使用する場合のＲＡＮエリアのリスト）は、別々のレイヤ（すなわち、非アクセス層およびアクセス層）および別々の通信エンティティ（すなわち、コアネットワークノードおよび基地局）によってＵＥに設定されるためである。このように、ＲＡＮエリアおよびトラッキングエリアがオペレータによってプランニングされ得る一方で、基地局には、当該基地局のセルＴＡＩおよびＲＡＮエリアＩＤを通知して、当該基地局が、これらの識別子をシステム情報でブロードキャストすることもできるが、当該基地局は、異なるコアネットワーク登録エリアに重複するＲＡＮベースの通知エリアを設定してもよい（すなわち、単一のコアネットワーク登録エリアのサブセットを形成しない）。
【００２３】
図２に示す問題は、複数のＲＡＮエリアから形成されるＲＡＮベースの通知エリアを想定して説明されるが、ＲＡＮエリア識別子のリストによって定義されたＲＡＮベースの通知エリアとは異なる、所定のＲＡＮベースの通知エリアを構成するセルの明示的なリストを使用する場合であっても、同様の問題が発生し得る。
【００２４】
本発明は、上記の問題に対処する、または少なくとも部分的に改善する方法および装置を提供することを目的とする。
【課題を解決するための手段】
【００２５】
例示的な一態様において、通信システム内の基地局によって実行される方法が提供され、上記方法は、少なくとも１つの他の基地局から、他の基地局の各々の少なくとも１つのセルに関連付けられた少なくとも１つの個別のトラッキングエリアを識別する情報を受信すること、コアネットワークから、少なくともユーザ機器（ＵＥ）が位置するトラッキングエリアを含む上記ＵＥの登録エリアを識別する情報を受信すること、上記少なくとも１つの個別のトラッキングエリアを識別する受信情報と、上記登録エリアを識別する受信情報とに基づいて、上記ＵＥの無線アクセスネットワーク（ＲＡＮ）ベースの通知エリアであり、上記ＵＥが非アクティブ状態を維持して移動することのできるエリアを示すＲＡＮベースの通知エリアを定義すること、および上記ＲＡＮベースの通知エリアを定義する情報を上記ＵＥに送信すること、を含む。
【００２６】
例示的な一態様において、通信システムのコアネットワーク機能によって実行される方法が提供され、上記方法は、ユーザ機器（ＵＥ）のコアネットワーク登録エリアであり、上記ＵＥが位置するトラッキングエリアを少なくとも含む登録エリアを定義すること、および上記ＵＥのサービング基地局に、上記ＵＥの登録エリアを定義する情報を与えること、を含む。
【００２７】
例示的な一態様において、通信システム内のユーザ機器（ＵＥ）によって実行される方法が提供され、上記方法は、少なくとも１つの基地局から、少なくとも１つの個別のトラッキングエリアを識別する情報と、登録エリアを識別する受信情報と、上記ＵＥの無線アクセスネットワーク（ＲＡＮ）ベースの通知エリアとを受信することを含み、上記ＲＡＮベースの通知エリアは、上記ＵＥが非アクティブ状態を維持して移動することのできるエリアを示し、上記ＵＥのＲＡＮベースの通知エリアは、少なくとも１つの個別のトラッキングエリアを識別する情報と、登録エリアを識別する情報とに基づいて、上記ＵＥのコアネットワーク登録エリアのサブセットとして定義されるエリアを示す。
【００２８】
例示的な一態様において、通信システムの基地局が提供され、上記基地局は、コントローラおよびトランシーバを具備し、上記コントローラは、上記トランシーバを、少なくとも１つの他の基地局から、上記他の基地局の各々の少なくとも１つのセルに関連付けられた少なくとも１つの個別のトラッキングエリアを識別する情報を受信し、コアネットワークから、ユーザ機器（ＵＥ）の登録エリアであり、上記ＵＥが位置するトラッキングエリアを少なくとも含む登録エリアを識別する情報を受信し、上記少なくとも１つの個別のトラッキングエリアを識別する受信情報と、上記登録エリアを識別する受信情報とに基づいて、上記ＵＥの無線アクセスネットワーク（ＲＡＮ）ベースの通知エリアであり、上記ＵＥが非アクティブ状態を維持して移動することのできるエリアを示すＲＡＮベースの通知エリアを定義するように制御し、上記トランシーバを、上記ＲＡＮベースの通知エリアを定義する情報を上記ＵＥに送信するように制御するように、構成される。
【００２９】
例示的な一態様において、通信システムのコアネットワーク機能が提供され、上記コアネットワーク機能は、コントローラおよびトランシーバを具備し、上記コントローラは、ユーザ機器（ＵＥ）のコアネットワーク登録エリアであり、上記ＵＥが位置するトラッキングエリアを少なくとも含む登録エリアを定義し、上記トランシーバを、上記ＵＥのサービング基地局に上記ＵＥの登録エリアを定義する情報を与えるように制御するように、構成される。
【００３０】
例示的な一態様において、通信システムのユーザ機器（ＵＥ）が提供され、上記ＵＥは、コントローラおよびトランシーバを具備し、上記コントローラは、上記トランシーバを、少なくとも１つの基地局から、少なくとも１つの個別のトラッキングエリアを識別する情報と、登録エリアを識別する受信情報と、上記ＵＥの無線アクセスネットワーク（ＲＡＮ）ベースの通知エリアとを受信し、上記ＲＡＮベースの通知エリアは、上記ＵＥが非アクティブ状態を維持して移動することのできるエリアを示し、上記ＵＥの無線アクセスネットワーク（ＲＡＮ）ベースの通知エリアは、少なくとも１つの個別のトラッキングエリアを識別する情報と、登録エリアを識別する情報とに基づいて、上記ＵＥのコアネットワーク登録エリアのサブセットとして定義されるエリアを示す。
【００３１】
例示的な一態様において、通信システムの基地局が提供され、上記基地局は、少なくとも１つの他の基地局から、上記他の基地局の各々の少なくとも１つのセルに関連付けられた少なくとも１つの個別のトラッキングエリアを識別する情報を受信する手段と、コアネットワークから、少なくともユーザ機器（ＵＥ）が位置するトラッキングエリアを含む上記ＵＥの登録エリアを識別する情報を受信する手段と、上記少なくとも１つの個別のトラッキングエリアを識別する受信情報と、上記登録エリアを識別する受信情報とに基づいて、上記ＵＥの無線アクセスネットワーク（ＲＡＮ）ベースの通知エリアであり、上記ＵＥが非アクティブ状態を維持して移動することのできるエリアを示す上記ＲＡＮベースの通知エリアを定義する手段と、上記ＲＡＮベースの通知エリアを定義する情報を上記ＵＥに送信する手段と、を備える。
【００３２】
例示的な一態様において、通信システムのコアネットワーク機能が提供され、上記コアネットワーク機能は、ユーザ機器（ＵＥ）のコアネットワーク登録エリアであり、上記ＵＥが位置するトラッキングエリアを少なくとも含む登録エリアを定義する手段と、上記ＵＥのサービング基地局に上記ＵＥの登録エリアを定義する情報を与える手段と、を備える。
【００３３】
例示的な一態様において、通信システムのユーザ機器（ＵＥ）が提供され、上記ＵＥは、少なくとも１つの個別のトラッキングエリアを識別する情報と、登録エリアを識別する受信情報と、上記ＵＥの無線アクセスネットワーク（ＲＡＮ）ベースの通知エリアとを受信する手段を備え、上記ＲＡＮベースの通知エリアは、上記ＵＥが非アクティブ状態を維持して移動することのできるエリアを示し、上記ＵＥの無線アクセスネットワーク（ＲＡＮ）ベースの通知エリアは、少なくとも１つの個別のトラッキングエリアを識別する情報と、登録エリアを識別する情報とに基づいて、上記ＵＥのコアネットワーク登録エリアのサブセットとして定義されるエリアを示す。
【００３４】
例示的な一態様において、上記無線基地局、コアネットワーク機能、およびＵＥを含む通信システムが提供される。
【００３５】
例示的な一態様において、コンピュータによって実行可能な命令製品が提供され、上記製品は、プログラム可能な通信デバイスに上記方法を実行させる、コンピュータによって実行可能な命令を含む。
【００３６】
当業者の効率的な理解のために、本発明の例示的な態様を、３ＧＰＰシステム（ＵＭＴＳ、ＬＴＥ、ＮＲ）を想定して詳細に説明するが、本発明の例示的な態様の原理は、通信デバイスまたはユーザ機器（ＵＥ）が無線アクセス技術を使用してコアネットワークにアクセスする他のシステムにも適用することができる。
【００３７】
本発明の例示的な態様は、対応するシステムと、装置と、プログラム可能なプロセッサをプログラムして上記の例示的な態様に記載の方法および特許請求の範囲に記載の可能性を実施させ、好適に適合したコンピュータをプログラムして任意の請求項に記載の装置を提供させるように動作可能な命令を格納する、コンピュータ読取可能な記憶媒体などのコンピュータプログラム製品と、に及ぶ。
【００３８】
本明細書（特許請求の範囲を含む）に開示されるおよび／または図面に示される各特徴は、他の開示されるおよび／または図示される特徴とは独立して（または組み合わせて）本発明に組み込まれてもよい。特に、特定の独立請求項に従属する請求項の特徴は、任意の組み合わせで、または個別にその独立請求項に導入することができるが、これに限らない。
【図面の簡単な説明】
【００３９】
ここで、添付図面を参照して、本発明の例示的な実施形態の例を説明する。
【図１】トラッキングエリアのサブセットを適切に形成しない無線アクセスネットワーク（ＲＡＮ）エリアに関連する問題を示す図である。
【図２】所定のＵＥの特定のコアネットワーク登録エリアを示す設定トラッキングエリアリストのサブセットを適切に形成しない特定の無線アクセスネットワーク（ＲＡＮ）ベースの通知エリアを示す設定ＲＡＮエリアリストに関連する問題を示す図である。
【図３】本発明の例示的な実施形態が適用され得るセルラ通信システムを概略的に示す図である。
【図４】図３に示すシステムで実装可能な、ＲＡＮエリアを識別するメカニズムを示す図である。
【図５】図３に示すシステムの一部を形成するＵＥのブロック図である。
【図６】図３に示すシステムの一部を形成する基地局のブロック図である。
【図７】図３に示すシステムの一部を形成するコアネットワーク機能のブロック図である。
【図８】図３に示すシステムの構成要素によって実行され得る例示的なプロセスを示すメッセージシーケンスチャートである。
【図９】図３に示すシステムの構成要素によって実行され得る例示的なプロセスを示す別のメッセージシーケンスチャートである。
【発明を実施するための形態】
【００４０】
＜概要＞
図３は、通信ネットワーク１を概略的に示し、ここでは、ユーザ機器（ＵＥ）３−１〜３−４のアイテム（モバイル電話や、ＩｏＴデバイスを含む他の通信デバイスなど）が、Ｎｅｗ  Ｒａｄｉｏ（ＮＲ）無線アクセス技術（ＲＡＴ）を使用して基地局５（この例ではｇＮＢｓ）およびコアネットワーク７を介して相互に通信を行うことができる。当業者が理解するように、図３では４つのＵＥ３（「ＵＥ１」〜「ＵＥ４」と表示）および５つの基地局５ａ〜５ｅが例として示されているが、システムの実装の際には、通常他の基地局および通信デバイスも含まれる。
【００４１】
図３には示されていないが、各基地局５は１つまたは複数の対応するセルを操作する（例えば、基地局５ａは「セルＡ」を操作し、基地局５ｂは「セルＢ」を操作するなど）。
【００４２】
ＵＥ３は、適切なセル（ＵＥと基地局の位置に応じて、あるいは適宜信号条件、サブスクリプションデータ、能力など他の要因に応じて）に、当該セルを操作する適切な基地局５と無線リソース制御（ＲＲＣ）接続を確立することにより、接続することができる。以上のように、第１のＵＥ３は、基地局５ａまたは５ｂによって動作するセルによってサーブされるエリアに位置する。従って、ＲＲＣアイドルモードで動作する（データの送受信を行わない）とき、ＵＥ３は、最高の信号品質を有するセルにキャンプし、ＲＲＣアクティブモードであるとき、ＵＥ３は、そのセルを介してデータ通信を行う。
【００４３】
ＵＥ３（例えば、ＵＥ３  ３−３）が最初に（基地局５のうちの１つを介して）ネットワークに登録する際、ＵＥ３のサービング基地局５（例えば、ｇＮＢ５ａ）は、サービング基地局５とコアネットワーク７との間の通信（ユーザデータおよび制御データ）を中継するための関連インタフェース接続についても確立する。
【００４４】
基地局５は、ＮＧ２／ＮＧ３インタフェース（４Ｇ／ＬＴＥの場合はＳ１−ＭＭＥ／Ｓ１−Ｕインタフェース）を介してコアネットワーク７に接続され、Ｘｎインタフェース（４Ｇ／ＬＴＥではＸ２インタフェース）を介して相互に接続される。コアネットワーク７は、アクセス及びモビリティ管理機能（ＡＭＦ：Ａｃｃｅｓｓ  ａｎｄ  Ｍｏｂｉｌｉｔｙ  Ｍａｎａｇｅｍｅｎｔ  Ｆｕｎｃｔｉｏｎ）７−１（モビリティ管理エンティティ全般に対応し、４Ｇ／ＬＴＥではＭＭＥ）と、基地局５と外部ネットワーク１５（インターネットなど）および／またはコアネットワーク７外でホストされるサーバとの間の接続を行うためのユーザプレーン機能７−２とを含む。
【００４５】
ＡＭＦ７−１は、特にＵＥ３がＲＲＣアイドルモードである場合に、通信ネットワーク１内においてＵＥを追跡する役割を担うネットワークノードである。特に、ＡＭＦ７−１は、ＵＥ３の最後の既知のセル（またはトラッキングエリア）の識別子を格納しているため、着信（音声またはデータ）があった場合に通知を行い、特定のＵＥ３に現在サーブする基地局５を介して、通信パスをセットアップすることができる。
【００４６】
この例において、各ＵＥ３は、リモートエンドポイント（例えば、サーバまたは別の通信デバイス）にデータを送信するために周期的（例えば、ＵＥ３のアプリケーションの１つがネットワークと通信を行う必要がある場合）にネットワークに接続する。各ＵＥ３は、ＲＡＮの観点から当該ＵＥ３がアイドルモードで動作しているように見える場合であってもネットワークによって対応のＮＧ２／ＮＧ３接続が維持されるＲＲＣ非アクティブ状態（ＲＲＣ＿ＩＮＡＣＴＩＶＥ）で動作するように構成される。したがって、周期的な再接続と再接続との間で、ＵＥ３は、アンカー基地局５によって設定されたＲＡＮベースの通知エリア内に留まる限り、非アクティブモードに入ることが可能であり、ハンドオーバを行うのを回避することができる（すなわち、ＵＥは、非アクティブ状態を維持したままＲＡＮベースの通知エリア内を自由に移動することができ、その位置をコアネットワークに更新する必要はない）。周期的なデータ送信を行うＵＥを想定して説明される非アクティブ状態での使用は例示に過ぎず、他の場合における非アクティブ状態の使用も可能であるものとする。
【００４７】
各ＵＥのサービング基地局５は、当該ＵＥ３に適したＲＡＮベースの通知エリアを設定する役割を担う。ＲＡＮエリアは、同一または異なる基地局５からの１つまたは複数のセルを含むように構成されてもよい。この例では、ＵＥ３  ３−３のＲＡＮベースの通知エリアは、３つのＲＡＮエリア（ＲＡＮＡ１、ＲＡＮＡ２およびＲＡＮＡ３）を含むものとして示される。ＲＡＮエリアＲＡＮＡ１は、ｇＮＢ５ａおよびｇＮＢ５ｅのセルを含み、ＲＡＮエリアＲＡＮＡ２は、ｇＮＢ５ｃの１つまたは複数のセルを含み、ＲＡＮエリアＲＡＮＡ３は、ｇＮＢ５ｂおよびｇＮＢ５ｄのセルを含む。ＵＥ３  ３−３のコアネットワーク登録エリアは、コアネットワーク内で（例えば、ＡＭＦ７−１によって）設定され、この例では、２つのトラッキングエリアＴＡ１およびＴＡ２を含むトラッキングエリアリスト（ＴＡＬ）を含み、ここで、ＴＡ１にはＲＡＮエリアＲＡＮＡ１およびＲＡＮエリアＲＡＮＡ２が含まれ、ＴＡ２にはＲＡＮエリアＲＡＮＡ３が含まれる。図３に示され、図３を参照して説明されるＲＡＮベースの通知エリアおよびコアネットワーク登録エリアの設定は単純に例示であり、任意の適切な設定が可能であるものとする。さらに、当該設定はＵＥ固有であり、動的に変更することができるものとする。
【００４８】
図３に示す例では、対応するＲＡＮエリアＩＤを有するＲＡＮエリアが設定されるため、所定のＵＥ３のＲＡＮベースの通知エリアは、そのＲＡＮベースの通知エリアを示す１つまたは複数のＲＡＮエリアＩＤのリストを与えることで設定されてもよい（しかしながら、明示的なセルのリストを使用する所定のＵＥのＲＡＮ通知エリアの設定をオプションとして実装してもよい）。
【００４９】
有利には、図３に示すシステムで実装可能なＲＡＮエリアを識別するためのメカニズムを示す図４を参照すると、ＲＡＮエリアは、トラッキングエリアを一意に識別するトラッキングエリア識別子（ＴＡＩ）と、ＴＡＩで表されるトラッキングエリア内のＲＡＮエリアを一意に識別するＲＡＮエリアコード（ＲＡＮＡＣ）との組み合わせである「グローバルＲＡＮエリアＩＤ（ＲＡＮＡＩＤ）」によって一意に識別される。ＴＡＩは、地上波公共移動通信ネットワーク（ＰＬＭＮ：Ｐｕｂｌｉｃ  Ｌａｎｄ  Ｍｏｂｉｌｅ  Ｎｅｔｗｏｒｋ）識別子と、識別されたＰＬＭＮ内の対象のトラッキングエリアを識別するトラッキングエリアコード（ＴＡＣ）とを含む集合識別子である。したがって、異なるＰＬＭＮに同一ＴＡＣを使用し、異なるトラッキングエリアに同じＲＡＮＡＣを使用することもできる。図４に示すように、ＰＬＭＮ識別子は、ＰＬＭＮのモバイル国コード（ＭＣＣ：Ｍｏｂｉｌｅ  Ｃｏｕｎｔｒｙ  Ｃｏｄｅ）とモバイルネットワークコード（ＭＮＣ：Ｍｏｂｉｌｅ  Ｎｅｔｗｏｒｋ  Ｃｏｄｅ）とを含む集合識別子でもある。したがって、この方法で識別されたＲＡＮエリアは、本質的に特定のトラッキング（のサブセット）内にあり、２つ以上のトラッキングエリアと重複しないことがわかる。
【００５０】
再度図３を参照すると、基地局が属するトラッキングエリアは、ブロードキャストシステム情報（ＳＩとも呼ばれ、例えば、システム情報ブロック１）によって、そのセル内のＵＥに通知される。ブロードキャストシステム情報は、ＴＡＣ情報要素と、１つまたは複数のＰＬＭＮのリストを備える情報要素とを含む。ＴＡＣ情報要素によって識別されるＴＡＣは、リストされた各ＰＬＭＮに共通である。この例では、基地局５からブロードキャストされるシステム情報は、（同一または異なるシステム情報ブロックに）セルのＲＡＮエリアコードも含む。
【００５１】
したがって、ＲＡＮエリア識別子は、ＴＡＩがＲＡＮエリア識別子の一部となる（例えば、グローバルＲＡＮエリアＩＤ＝｛トラッキングエリアＩＤ、ＴＡ内のＲＡＮエリアコード｝となる）ように符号化される。基地局５はＴＡ内でＴＡＣおよびＲＡＮエリアコードをブロードキャストするため、ＵＥは、単純に、グローバルＲＡＮエリアＩＤがＴＡ内のＲＡＮエリアコードとの組み合わせによって、ＴＡＩと等しくなると解釈する必要がある。
【００５２】
有利には、隣接する基地局同士は、トラッキングエリア情報を含むセル情報（すなわち、当該隣接基地局のセルがその一部を形成するＴＡのＴＡＩ）を（例えば、Ｘｎインタフェースを介して）交換する。同様に、この例では、隣接セルのＲＡＮエリア情報（例えば、ＴＡＩに関連してＲＡＮエリアＩＤまたはＲＡＮエリアコード）は、対応する隣接基地局によって提供される（当該情報は、代替的または追加的に、運用、管理および保守（ＯＡＭ）機能によって提供されてもよい）。
【００５３】
有利には、コアネットワーク（例えば、ＡＭＦ７−１などのコアネットワーク制御機能）は、所定のＵＥのＴＡリスト設定（およびそのＵＥのコアネットワーク登録エリアの設定）を基地局に通知する。ＴＡリストに関する当該情報は、例えば、初期ＵＥコンテキストセットアップ手順の間に提供されてもよいし、および／または、トラッキングエリアの更新に続いて提供されてもよい。
【００５４】
このように、基地局５がＵＥ３を非アクティブ状態にすることを決定すると、基地局は、当該ＵＥ３のトラッキングリストの一部を形成するトラッキングエリアに属する１つまたは複数のＲＡＮエリアのリストを使用して、または、当該ＵＥ３のトラッキングリストの一部を形成するトラッキングエリア内の１つまたは複数のセルの明示的なリストを使用して、ＵＥ３のＲＡＮベースの通知エリアを有利に設定することができる。
【００５５】
図３を参照して説明する例では、１つまたは複数のセルを含むＲＡＮエリアの概念を使用するが、ＲＡＮベースの通知エリアが所定のＵＥのコアネットワーク登録エリアのサブセットを構成することを保証するために同様の（かつより単純な）手順を有益に使用してもよい。
【００５６】
より具体的には、ＲＡＮエリアが実装されない場合、隣接する基地局は、単純に、トラッキングエリア情報（すなわち、当該基地局のセルがその一部を形成するＴＡのＴＡＩ）を含むセル情報を相互に（例えば、Ｘｎインタフェースを介して）交換してもよく、ＲＡＮエリア情報を与える必要はない。ＲＡＮエリアに係る手順と同様に、コアネットワーク（例えば、ＡＭＦ７−１などのコアネットワーク制御機能）は、所定のＵＥのＴＡリスト設定（および当該ＵＥのコアネットワーク登録エリアの設定）を基地局に通知してもよい。ＴＡリストに関する当該情報は、例えば、初期ＵＥコンテキストセットアップ手順の間に提供されてもよいし、および／または、トラッキングエリアの更新に続いて提供されてもよい。
【００５７】
このように、基地局５がＵＥ３を非アクティブ状態にすることを決定すると、基地局は、ＵＥ３のトラッキングリストの一部を形成するトラッキングエリア内の１つまたは複数のセルの明示的なリストを使用して、ＵＥ３のＲＡＮベースの通知エリアを有利に設定することができる。したがって、所定のＴＡの一部を形成する他のセル（および／またはＲＡＮエリア）を基地局が判別するための十分な情報を当該基地局に与えることで、上記手順によって、ＲＡＮベースの通知エリアが所定のＵＥのコアネットワーク登録エリアのサブセットを構成することを保証することができることがわかる。
【００５８】
＜ＵＥ＞
図５は、図３に示すＵＥ３の主な構成要素（例えば、モバイル電話、ＩｏＴデバイスなど）を示すブロック図である。図示されるように、ＵＥ３は、１つまたは複数のアンテナ３３を介して基地局５に信号を送信し、基地局５から信号を受信するように動作可能なトランシーバ回路３１を有する。ＵＥ３は、ＵＥ３の動作を制御するコントローラ３７を有する。コントローラ３７はメモリ３９に関連付けられ、トランシーバ回路３１に接続されている。その動作に必ずしも必要ではないが、ＵＥ３が従来のモバイル電話の通常の機能（ユーザインタフェース３５など）をすべて備えてもよいことは明らかであり、これは、ハードウェア、ソフトウェアおよびファームウェアのいずれか１つまたは任意の組み合わせによって適宜提供されてもよい。ソフトウェアは、メモリ３９に事前にインストールしてもよいし、および／または、例えば、通信ネットワークを介して、またはリムーバブルデータ格納デバイス（ＲＭＤ）から、ダウンロードしてもよい。
【００５９】
コントローラ３７は、この例では、メモリ３９内に格納されたプログラム命令またはソフトウェア命令によってＵＥ３全体の動作を制御するように構成される。図示されるように、これらのソフトウェア命令は、オペレーティングシステム４１、通信制御モジュール４３、ページングモジュール４５、ＲＲＣモジュール４６、ＮＡＳモジュール４９などを含む。
【００６０】
通信制御モジュール４３は、ＵＥ３とそのサービング基地局５（および当該サービング基地局５に接続された、他のユーザ機器、コアネットワーク機能などの他の通信デバイス）との間の通信を制御するように動作可能である。
【００６１】
ページングモジュール４５は、ＵＥ３をページングすることのできるＲＡＮベースの通知エリアを（例えば、セルおよび／またはＲＡＮエリアのリストの形式で）維持する役割を担い、ＵＥ３宛のページング／通知メッセージを監視するようにトランシーバ３１を制御する。ページングモジュール４５は、ＵＥ３が現在設定されているＲＡＮページングエリアを離れる直前（または、離れたとき）に、他のモジュール（例えば、適宜ＲＲＣモジュール４６およびＮＡＳモジュール４９によって）に通知を行う役割も担う（例えば、適切な位置更新手順を行うために）。
【００６２】
ＲＲＣモジュール４６は、ＲＲＣ規格に従ってフォーマットされたシグナリングメッセージを生成、送信および受信するように動作可能である。例えば、そのようなメッセージが、ＵＥ３とそのサービング基地局５との間で交換される。ＲＲＣメッセージは、例えば、ＵＥ３のＲＡＮベース通知エリアの設定に関するメッセージを含んでもよい。
【００６３】
ＮＡＳモジュール４９は、ＮＡＳ規格に従ってフォーマットされたシグナリングメッセージを生成、送信および受信するように動作可能である。例えば、そのようなメッセージが（サービング基地局５を介して、ＲＲＣモジュール４６を使用して）、ＵＥ３とＡＭＦ７−１との間で交換される。ＮＡＳメッセージは、例えば、ＵＥ３が現在位置するトラッキングエリア（またはセル）の登録および／または更新に関するメッセージを含んでもよい。
【００６４】
＜基地局＞
図６は、図３に示す基地局５の主な構成要素を示すブロック図である。図示されるように、基地局５は、１つまたは複数のアンテナ５３を介してユーザ機器（ＵＥ３など）と信号の送受信を行うためのトランシーバ回路５１、コアネットワーク７と信号の送受信を行うためのコアネットワークインタフェース５５（例えば、Ｓ１インタフェース、ＮＧ２および／またはＮＧ３インタフェースなど）、および隣接する基地局と信号の送受信を行うための基地局インタフェース５６（例えば、Ｘ２インタフェース、Ｘｎインタフェースなど）を備える。基地局５は、基地局５の動作を制御するコントローラ５７を有する。コントローラ５７はメモリ５９に関連付けられる。図３に示されてはいないが、基地局５が従来のセルラ電話ネットワーク基地局の通常の機能をすべて有することは明らかであり、この機能はハードウェア、ソフトウェア、ファームウェアのいずれか１つまたは任意の組み合わせによって適宜提供されてもよい。ソフトウェアは、メモリ５９に事前にインストールしてもよいし、例えば、通信ネットワーク１を介して、またはリムーバブルデータ格納デバイス（ＲＭＤ）から、ダウンロードしてもよい。コントローラ５７は、この例では、メモリ５９内に格納されたプログラム命令またはソフトウェア命令によって基地局５の全体的な動作を制御するように構成される。図示されるように、これらのソフトウェア命令は、オペレーティングシステム６１、通信制御モジュール６３、ページングエリア制御モジュール６５、ＲＲＣモジュール６６、基地局シグナリングモジュール６７、およびＣＮシグナリングモジュール６８を含む。
【００６５】
通信制御モジュール６３は、基地局５と、ＵＥ３（ユーザ機器）および基地局５に接続された他のネットワークエンティティとの間の通信を制御するように動作可能である。通信制御モジュール６３は、この基地局５に関連付けられたＵＥに送信される下りリンクユーザトラフィック（関連データ無線ベアラを介して）および制御データの個別のフローも制御する。制御データは、例えば、ＵＥ３の動作を管理するための制御データ（例えば、ＮＡＳ、ＲＲＣ、ページング、システム情報など）を含んでもよい。
【００６６】
ページングエリア制御モジュール６５は、基地局５がアンカーとして機能する各ＵＥについて、適切なＲＡＮベースの通知エリアを設定および維持する役割を担う。ページングエリア制御モジュール６５は、適宜ＵＥ３のページング／通知を行うようにトランシーバ５１を制御する役割も担う（例えば、ＲＲＣ接続モードではない特定のＵＥ３に送信する下りデータがある場合）。ページングエリア制御モジュール６５は、所定のＵＥのＲＡＮベース通知エリアを、１つまたは複数の他の基地局（例えば、隣接する基地局）から受信したトラッキングエリア情報および／またはＲＡＮエリア情報（該当する場合）、コアネットワーク（例えば、ＡＭＦ７−１、ＭＭＥなど）から受信した当該ＵＥのトラッキングエリアリスト（ＴＡＬ）などの情報に基づいて設定する。
【００６７】
ＲＲＣモジュール６６は、ＲＲＣ規格に従ってフォーマットされたシグナリングメッセージを生成、送信および受信するように動作可能である。例えば、そのようなメッセージが、基地局５とＵＥ３（および基地局５のセル内の他のユーザ機器）の間で交換される。ＲＲＣメッセージは、例えば、ＵＥ３のＲＡＮベース通知エリアの設定に関するメッセージを含んでもよい。
【００６８】
基地局シグナリングモジュール６７は、適切な基地局から基地局アプリケーションプロトコル（例えば、ＸｎＡＰまたはＸ２ＡＰ）に従ってフォーマットされたシグナリングメッセージ（Ｘ２／Ｘｎメッセージ）を生成、送信および受信するように動作可能である。Ｘ２／Ｘｎメッセージには、例えば、ＵＥ３のページング、データ転送、隣接基地局間でのＵＥコンテキスト（およびＵＥ３に関連するその他の情報）の転送／取得、１つまたは複数の他の基地局（例えば、隣接基地局）などとのトラッキングエリア情報および／またはＲＡＮエリア情報（該当する場合）などの情報の交換に関するメッセージが含まれる。
【００６９】
ＣＮシグナリングモジュール６８は、適切な基地局からコアネットワークシグナリングプロトコル（例えば、ＮＧ２／ＮＧ３ＡＰまたはＳ１ＡＰ）に従ってフォーマットされたシグナリングメッセージを生成、送信および受信するように動作可能である。例えば、そのようなメッセージが、基地局５とＡＭＦ７−１／ＵＰＦ７−２の間で交換される。当該メッセージには、例えば、基地局５のセル内のユーザ機器の位置および／または動作状態の登録と、コアネットワークからの特定のＵＥのＴＡリストの取得と、特定のＵＥ３のページング要求とに関わるメッセージ、および／または対応する応答が含まれてもよい。
【００７０】
＜アクセス及びモビリティ管理機能＞
図７は、図３に示すアクセス及びモビリティ管理機能７−１（または同様のモビリティ管理エンティティ）の主要な構成要素を示すブロック図である。図示されるように、アクセス及びモビリティ管理機能７−１は、基地局インタフェース７５（例えば、ＮＧ２インタフェース）を介して基地局５（および／または基地局５に接続されたＵＥ３）と信号の送受信を行うトランシーバ回路７１を有する。アクセス及びモビリティ管理機能７−１は、アクセス及びモビリティ管理機能７−１の動作を制御するコントローラ７７を有する。コントローラ７７はメモリ７９に関連付けられている。図７に示されてはいないが、アクセス及びモビリティ管理機能７−１がセルラ電話ネットワークアクセス／モビリティ管理機能／モビリティ管理エンティティの通常の機能をすべて備えることは明らかであり、これは、ハードウェア、ソフトウェア、およびファームウェアのいずれか１つまたは任意の組み合わせによって適宜提供されてもよい。ソフトウェアは、メモリ７９に事前にインストールしてもよいし、および／または、例えば、通信ネットワーク１を介して、またはリムーバブルデータ格納デバイス（ＲＭＤ）から、ダウンロードしてもよい。コントローラ７７は、この例では、メモリ７９内に格納されたプログラム命令またはソフトウェア命令によってアクセス及びモビリティ管理機能７−１の全体的な動作を制御するように構成される。図示されるように、これらのソフトウェア命令は、オペレーティングシステム８１、通信制御モジュール８３、ＵＥ位置登録モジュール８５、ＮＧ２シグナリングモジュール８８、およびＮＡＳモジュール８９などを含む。
【００７１】
通信制御モジュール８３は、アクセス及びモビリティ管理機能７−１と、基地局５、ＵＥ３、およびアクセス及びモビリティ管理機能７−１に接続される他のネットワークエンティティとの間の通信を制御するように動作可能である。
【００７２】
ＵＥ位置登録モジュール８５は、アクセス及びモビリティ管理機能７−１に接続されたユーザ機器の現在位置および状態（例えば、アイドル状態または接続状態）を追跡する役割を担う。
【００７３】
ＮＧ２シグナリングモジュール８８は、アクセス及びモビリティ管理機能７−１と基地局との間のＮＧ２インタフェースを介したシグナリングのための適切なアプリケーションプロトコルに従ってフォーマットされたシグナリングメッセージを生成、送信および受信するように動作可能である。当該ＮＧ２メッセージには、例えば、基地局５のセル内のユーザ機器の位置および／または動作状態の登録と、コアネットワークからの特定のＵＥ３のＴＡリストの取得と、特定のＵＥ３のページング要求とに関わるメッセージ、および／または対応する応答が含まれてもよい。
【００７４】
ＮＡＳモジュール８９は、ＮＡＳ規格に従ってフォーマットされたシグナリングメッセージを生成し、ＵＥ３へ送信およびＵＥ３から受信するように動作可能である。例えば、そのようなメッセージが、アクセス及びモビリティ管理機能７−１とＵＥ３の間で（基地局５を介して）交換される。ＮＡＳメッセージは、例えば、ＵＥ３が現在位置するトラッキングエリア（またはセル）の登録および／または更新に関するメッセージを含んでもよい。
【００７５】
上の説明では、理解を容易にするため、ＵＥ３、基地局５、およびアクセス及びモビリティ管理機能７−１は、多数の個別のモジュール（通信制御モジュール、ＲＲＣモジュールなど）を有するものとして説明された。これらのモジュールは、例えば、既存のシステムが本発明を実装するために変更された特定のアプリケーションについてはこのような方法で提供され得るが、例えば最初から本発明の特徴を念頭に置いて設計されたシステムなどの他のアプリケーションについては、これらのモジュールをオペレーティングシステムまたはコード全体に組み込んでもよく、この場合、これらのモジュールは個別のエンティティとして認識されなくてもよい。これらのモジュールは、ソフトウェア、ハードウェア、ファームウェア、またはこれらの組み合わせで実装されてもよい。
【００７６】
次に、ＲＡＮベースのページングエリアを（ＬＣ状態／モードで動作する）ＵＥのために設定することができる様々な方法についてより詳細に（図５〜図１０を参照して）説明する。
【００７７】
＜オペレーション−第１の実施例＞
図８は、所定のＵＥ３に設定されたＲＡＮベースの通知エリアが当該ＵＥ３のコアネットワーク登録エリアのサブセットを構成することを保証するためにシステム１の構成要素によって実行され得る例示的なプロセスを示すメッセージシーケンスチャートである。
【００７８】
Ｓ８１０に示すように、隣接する基地局５はセル情報を交換する。各基地局５によって提供されるセル情報は、当該基地局によって運用されるセルの個別のトラッキングエリア情報（例えば、トラッキングエリア識別子）を含む。当該基地局は、この交換の一部として他の基地局５から受信した情報を格納する。ＲＡＮエリアを使用する場合、セル情報は、対応する隣接基地局５によって運用されるセルのＲＡＮエリア情報（例えば、ＴＡＩと共に使用されるＲＡＮエリアＩＤまたはＲＡＮエリアコード）をさらに含んでもよい（当該情報は、代替的または追加的に、運用、管理および保守（ＯＡＭ）機能によって提供されてもよい）。
【００７９】
この例示的な手順では、特定のＵＥのコアネットワーク登録エリアを識別する情報は、Ｓ８２０とＳ８２８の間に示される初期ＵＥコンテキスト手順によって提供される。例えば、ＵＥ３および特定の基地局がＳ８２０に示すようなＲＲＣ接続セットアップ手順を行い、基地局５ａが初期ＵＥメッセージ（例えば、適切なサービス要求を含む）をコアネットワーク機能７（例えば、ＡＭＦ７−１）に送信する場合、コアネットワーク機能はＳ８２３において当該ＵＥ３のＣＮ登録エリアを識別し、Ｓ８２４において、ＵＥ３のＣＮ登録エリアを識別する情報（例えば、ＣＮ登録エリアのＴＡの１つまたは複数のＴＡＩのＴＡリスト）を含む初期コンテキスト要求メッセージで以って基地局５に応答する。この情報は、対応するＵＥを識別する情報に関連付けて基地局５に格納される。次に、基地局５およびＵＥ３は、適宜（例えば、Ｓ８２６に示すように）ＲＲＣ接続再構成手順を行い、これが完了すると、適切にフォーマットされた初期コンテキストセットアップ応答をＳ８２８で基地局に送信して、ＵＥ３とのセキュリティ手順の確立の成功、および無線ベアラの確立の成功／失敗を、コアネットワーク機能７に報告する。
【００８０】
このように、Ｓ８４０において基地局５がＵＥ３を非アクティブ状態にすることを決定すると、基地局５は、Ｓ８４２において、ＵＥ３のトラッキングリストの一部を形成するトラッキングエリアに属する１つまたは複数のＲＡＮエリアのリストを使用して、または、ＵＥ３のトラッキングリストの一部を形成するトラッキングエリア内の１つまたは複数のセルの明示的なリストを使用して、ＵＥ３のＲＡＮベースの通知エリアを有利に設定することができる。
【００８１】
＜オペレーション−第２の実施例＞
図９は、所定のＵＥ３に設定されたＲＡＮベースの通知エリアが当該ＵＥ３のコアネットワーク登録エリアのサブセットを構成することを保証するためにシステム１の構成要素によって実行され得る、別の例示的なプロセスを示すメッセージシーケンスチャートである。
【００８２】
Ｓ９１０に示すように、隣接する基地局５同士は、図８に示されるのとほぼ同じ方法でセル情報を交換する。図８の手順のように、各基地局５によって提供されるセル情報は、当該基地局によって運用されるセルの個別のトラッキングエリア情報（例えば、トラッキングエリア識別子）を含む。基地局は、この交換の一部として他の基地局５から受信した情報を格納する。ＲＡＮエリアを使用する場合、セル情報は、対応する隣接基地局５によって運用されるセルのＲＡＮエリア情報（例えば、ＴＡＩと共に使用されるＲＡＮエリアＩＤまたはＲＡＮエリアコード）をさらに含んでもよい（当該情報は、代替的または追加的に、運用、管理および保守（ＯＡＭ）機能によって提供されてもよい）。
【００８３】
しかしながら、図８の手順とは異なり、この例示的な手順においては、特定のＵＥのコアネットワーク登録エリアを識別する情報は、Ｓ９２０とＳ９２８の間に示されるトラッキングエリア更新（ＴＡＵ）手順によって提供される。例えば、トラッキングエリアを更新する必要があるとＵＥ３が判断した場合、Ｓ９２０において、当該ＵＥ３は、コアネットワーク機能７（ＡＭＦ７−１など）にトラッキングエリアの更新要求を送信することで、トラッキングエリアの更新を開始する。コアネットワーク機能７は、Ｓ９２２において、ＵＥ３の適切なコンテキスト情報を取得し、当該ＵＥ３の適切なＣＮ登録エリアを決定する。トラッキングエリア更新要求が受諾されることを想定すると、コアネットワーク機能７は、Ｓ９２４において、適切にフォーマットされたトラッキングエリア更新受諾メッセージで以ってＵＥ３に応答する。或いは、オプションとして、ＵＥ３は、適切にフォーマットされたトラッキングエリア更新完了メッセージで以ってトラッキングエリア更新受諾メッセージに応答してもよい（例えば、変更されたグローバルユニークテンポラリＩＤ（ＧＵＴＩ）がトラッキングエリア更新受諾メッセージに含まれる場合）。
【００８４】
トラッキングエリアの更新は基地局を介して送信されるが、当該更新は基地局に対して透過性を有する非アクセス層（ＮＡＳ）メッセージであるため、基地局はトラッキングエリアの更新受諾メッセージからＣＮ登録エリアを決定することができない。したがって、トラッキングエリア更新手順に続いて（ほぼ直後に）、ＣＮ機能７は、ＵＥ３のＣＮ登録エリアを識別するＣＮ情報（例えば、ＣＮ登録エリアのＴＡの１つまたは複数のＴＡＩのＴＡリスト）を基地局５に送信する。この情報は、対応するＵＥを識別する情報に関連付けて基地局５に保存される。
【００８５】
このように、Ｓ９４０において基地局５がＵＥ３を非アクティブ状態にすることを決定すると、基地局５は、Ｓ９４２において、ＵＥ３のトラッキングリストの一部を形成するトラッキングエリアに属する１つまたは複数のＲＡＮエリアのリストを使用して、または、ＵＥ３のトラッキングリストの一部を形成するトラッキングエリア内の１つまたは複数のセルの明示的なリストを使用して、ＵＥ３のＲＡＮベースの通知エリアを有利に設定することができる。
【００８６】
＜変形例および代替案＞
以上、例示的な実施形態を詳細に説明した。当業者が理解するように、上記例示的な実施形態については複数の変形例および代替案が可能であり、そのようにして具現化された発明の恩恵を受けることができる。説明のため、これらの変形例および代替案の複数の例のみを説明する。
【００８７】
本発明の例示的な実施形態は、モノのインターネット（またはマシンタイプ）のデータ送信（例えば、測定イベントなどの間に取得されたデータの送信）に特に有益であり得る。しかしながら、例示的な実施形態は、ＵＥが使用されるアプリケーションによっては、任意の形式のデータの送信についても有益であり得る。例えば、上記例示的な実施形態は、ユーザデータ、バックアップデータ、同期データ、診断データ、監視データ、使用統計、エラーデータなどのデータ送信に適用可能であってもよい。
【００８８】
説明の簡略化のため、基地局５ａは図１の各ＵＥ（ＵＥ１〜ＵＥ４）のアンカー基地局として説明される。しかしながら、異なるＵＥは（同一セル内であっても）異なるアンカー基地局に対応付けられ、所定のＵＥのアンカー基地局は適宜変更されてもよい。言い換えれば、２つ以上の基地局を（１つまたは複数のＵＥの）アンカー基地局として機能するように構成してもよいし、ＵＥごとに１つのアンカー基地局のみを使用してもよい。
【００８９】
図３では、２つの隣接する基地局間にＸｎインタフェースが設けられ、各基地局とコアネットワークとの間にＮＧ２／ＮＧ３インタフェースが設けられる。しかしながら、他のシステムにおいては、異なる基地局から基地局へのインタフェース、および／または、異なる基地局からコアネットワークへのインタフェースを設けてもよい。例えば、４Ｇ／ＬＴＥシステムでは、隣接基地局間のインタフェースは「Ｘ２」インタフェースと呼ばれ、基地局とコアネットワークとの間のインタフェースは「Ｓ１」インタフェースと呼ばれる。４Ｇシステムでは、基地局は「ｅＮＢ」と呼ばれる。
【００９０】
上の説明において、特定のＲＡＮベースの通知エリアに属するセルの明示的なリスト（セルＩＤ）を使用して当該ＲＡＮベース通知エリアの設定をＵＥに通知する場合、当該リストには、各セルの個別のトラッキングエリアコード／識別子が含まれてもよい。これによりＵＥと基地局とが（同一セルＩＤの再利用が可能な）複数のトラッキングエリア全体でセルを一意に識別できることが理解されよう。しかしながら、ＲＡＮベースの通知エリアは、セルＩＤのみのリストを使用して（すなわち、トラッキングエリアコード／識別子を使用せずに）定義してもよい。
【００９１】
アンカー基地局は、ＲＡＮベースの通知エリアに／からどのセルを追加／削除するかを決定する際に、周辺のトポロジおよび／または隣接基地局とのＸ２／Ｘｎ接続（の状態）を考慮に入れるように構成されてもよい。例えば、隣接基地局は、ＲＡＮベースの通知エリア（またはＲＡＮエリア）からセルを削除する必要がある設定の変更（他の基地局へのＸ２／Ｘｎ接続の変更も含む）に関する情報を相互に交換するように構成されてもよい。
【００９２】
ＲＡＮベースの通知エリアは、「ＲＡＮベースのルーティングエリア」または「ＲＡＮベースのページングエリア」と呼ばれてもよい。
【００９３】
上の説明では、理解を容易にするため、ＵＥ、基地局およびＡＭＦは、個別の機能的構成要素またはモジュールを複数有するものとして説明された。これらのモジュールは、例えば、既存のシステムが本発明を実装するために変更された特定のアプリケーションについてはこのような方法で提供され得るが、例えば最初から発明の特徴を念頭に置いて設計されたシステムなどの他のアプリケーションについては、これらのモジュールをオペレーティングシステムまたはコード全体に組み込んでもよく、この場合、これらのモジュールは個別のエンティティとして認識されなくてもよい。
【００９４】
上記の例示的な実施形態では、複数のソフトウェアモジュールが説明された。当業者が理解するように、ソフトウェアモジュールは、コンパイルされた形式またはコンパイルされていない形式で提供されてもよいし、コンピュータネットワークを介した信号として、または記録媒体上で、基地局、ＡＭＦおよびＵＥに供給されてもよい。さらに、このソフトウェアの一部またはすべてによって実行される機能は、１つまたは複数の専用ハードウェア回路を使用して実行されてもよい。しかしながら、基地局、モビリティ管理エンティティ、またはＵＥの機能更新を目的としたアップデートを容易にするためには、ソフトウェアモジュールの使用が推奨される。
【００９５】
ＵＥ、基地局、およびＡＭＦの（すなわち、図５〜図７を参照した）説明で言及されたコントローラは、例えば、アナログまたはデジタルコントローラといった任意の適切なコントローラを含んでもよい。各コントローラは任意の適切な形態の処理回路を含んでもよく、これには、例えば、以下が含まれる（限定的ではない）：
１つまたは複数のハードウェアに実装されたコンピュータプロセッサ；マイクロプロセッサ；中央処理装置（ＣＰＵ）；算術論理ユニット（ＡＬＵ）。入出力（ＩＯ）回路；内部メモリ／キャッシュ（プログラムおよび／またはデータ）。処理レジスタ；通信バス（例えば、制御、データおよび／またはアドレスバス）；ダイレクトメモリアクセス（ＤＭＡ）機能。ハードウェアまたはソフトウェア実装されたカウンタ、ポインタ、タイマなど。
【００９６】
本明細書に記載の種々の手順を行うための特定の物理的構造を有する特定のハードウェア装置（例えば、コントローラおよびトランシーバ回路）が開示された一方で、本明細書に開示されたおよび／または請求項の一部に記載の方法の各ステップは、当該ステップを実行するための任意の適切な手段によって実装されてもよい。このように、本発明の例示的な方法の各態様は、当該例示的な方法の態様の各ステップを実行するための個別の手段を備えた、対応の例示的な装置の態様を有する。
【００９７】
本明細書で説明された一例は、通信システム内の基地局によって実行される方法を含み、上記方法は、少なくとも１つの他の基地局から、上記他の基地局の各々の少なくとも１つのセルに関連付けられた少なくとも１つの個別のトラッキングエリアを識別する情報を受信すること、コアネットワークから、少なくともユーザ機器（ＵＥ）が位置するトラッキングエリアを含む上記ＵＥの登録エリアを識別する情報を受信すること、上記少なくとも１つの個別のトラッキングエリアを識別する受信情報と、上記登録エリアを識別する受信情報とに基づいて、上記ＵＥがその位置を上記コアネットワークに登録する必要がないまま、上記ＵＥが非アクティブ状態を維持して自由に移動することのできるエリアを示す上記ＵＥの無線アクセスネットワーク（ＲＡＮ）ベースの通知エリアを定義すること、およびＲＡＮベースの通知エリアを定義する情報をＵＥに送信すること、を含む。
【００９８】
上記ＵＥの登録エリアを識別する情報は、上記ＵＥの初期ＵＥコンテキストセットアップ手順の一部として（例えば、初期ＵＥコンテキストセットアップ要求メッセージ内で）、または上記ＵＥのトラッキングエリア更新手順の一部として（または、例えば直後など、上記更新手順後に）受信されてもよい。上記他の基地局の各々の少なくとも１つのセルに関連付けられた少なくとも１つの個別のトラッキングエリアを識別する上記情報は、他の所定の基地局について、当該基地局との基地局間ダイレクトインタフェースまたは基準点（およびＸ２またはＸｎインタフェースなど）を介して受信されてもよい。
【００９９】
上記方法は、上記他の基地局の各々の少なくとも１つのセルがその一部を形成する少なくとも１つの個別のＲＡＮエリアを識別する情報を受信することをさらに含んでもよい。上記ＵＥのＲＡＮベースの通知エリアの定義は、上記他の基地局の各々の少なくとも１つのセルが一部を形成する少なくとも１つの個別のＲＡＮエリアを識別する受信情報にさらに基づいてもよい。各ＲＡＮエリアは、当該基地局に関連付けられたトラッキングエリアを形成する（例えば、より小さいエリアを示す）少なくとも１つのセルのサブセットを含んでもよい。上記少なくとも１つの個別のＲＡＮエリアを識別する情報は、他の所定の基地局について、当該基地局との基地局間ダイレクトインタフェースまたは基準点（および、Ｘ２またはＸｎインタフェースなど）を介して、および／または、運用、管理、および保守（ＯＡＭ）機能によって受信されてもよい。
【０１００】
上記ＲＡＮベースの通知エリアを定義する情報は、上記ＲＡＮベースの通知エリアを形成し、上記ＵＥの登録エリアの一部を形成する少なくとも１つのトラッキングエリアの少なくとも一部を形成する少なくとも１つのセルのリストを含み、および／または、上記ＲＡＮベースの通知エリアを形成する少なくとも１つのＲＡＮエリアのリストを含んでもよく、上記リスト内の各ＲＡＮエリアは、上記ＵＥの登録エリアの一部を形成するトラッキングエリアの少なくとも一部を形成する少なくとも１つのセルをそれぞれ含む。
【０１０１】
上記無線アクセスネットワーク（ＲＡＮ）ベースの通知エリアは、上記登録エリアを形成する（例えば、上記登録エリアより小さいエリアを示す）セルのサブセットを構成する少なくとも１つのセルを示すために、上記少なくとも１つの個別のトラッキングエリアを識別する受信情報と、上記登録エリアを識別する受信情報とに基づいて定義されてもよい。
【０１０２】
上記方法は、上記基地局の少なくとも１つのセルがその一部を形成する少なくとも１つの個別のＲＡＮエリアを識別する情報をブロードキャストすることをさらに含んでもよい。上記少なくとも１つの個別のＲＡＮエリアを識別する情報は、少なくともトラッキングエリアを識別するトラッキングエリアコード（ＴＡＣ）（例えば、地上波公共移動通信ネットワーク（ＰＬＭＮ）内の場合）と、上記トラッキングエリア内で一意にＲＡＮエリアを識別するＲＡＮエリアコード（ＲＡＮＡＣ）とを示す情報を含んでもよい。
【０１０３】
種々の他の変更は、当業者にとって明らかであるため、ここでは更に詳細な説明は省略する。
【０１０４】
上記実施形態の一部又は全部は、以下の付記のようにも記載され得るが、以下には限られない。
【０１０５】
（付記１）
通信システム内の基地局によって実行される方法であって、
少なくとも１つの他の基地局から、前記他の基地局の各々の少なくとも１つのセルに関連付けられた少なくとも１つの個別のトラッキングエリアを識別する情報を受信すること、
コアネットワークから、ユーザ機器（ＵＥ）の登録エリアを識別する情報と、少なくとも前記ＵＥが位置するトラッキングエリアを含む登録エリアとを受信すること、
少なくとも１つの個別のトラッキングエリアを識別する受信情報と、登録エリアを識別する受信情報とに基づいて、前記ＵＥが非アクティブ状態を維持して移動することのできるエリアを示す前記ＵＥの無線アクセスネットワーク（ＲＡＮ）ベースの通知エリアを定義すること、および
前記ＲＡＮベースの通知エリアを定義する情報を前記ＵＥに送信すること、を含む方法。
【０１０６】
（付記２）
前記ＵＥの登録エリアを識別する情報は、前記ＵＥの初期ＵＥコンテキストセットアップ手順の一部として受信される、付記１に記載の方法。
【０１０７】
（付記３）
前記ＵＥの登録エリアを識別する情報は、初期ＵＥコンテキストセットアップ要求メッセージにおいて受信される、付記２に記載の方法。
【０１０８】
（付記４）
前記ＵＥの登録エリアを識別する情報は、前記ＵＥのトラッキングエリア更新手順の一部として（または、例えば直後など前記更新手順後に）受信される、付記１に記載の方法。
【０１０９】
（付記５）
前記他の基地局の各々の少なくとも１つのセルに関連付けられた少なくとも１つの個別のトラッキングエリアを識別する前記情報は、他の所定の基地局について、当該基地局との基地局間ダイレクトインタフェースまたは基準点（および、Ｘ２またはＸｎインタフェースなど）を介して受信される、付記１〜４のいずれか一項に記載の方法。
【０１１０】
（付記６）
前記他の基地局の各々の少なくとも１つのセルが一部を形成する少なくとも１つの個別のＲＡＮエリアを識別する情報を受信することをさらに含む、付記１〜５のいずれか一項に記載の方法。
【０１１１】
（付記７）
前記ＵＥのＲＡＮベースの通知エリアの定義は、前記他の基地局の各々の少なくとも１つのセルが一部を形成する少なくとも１つの個別のＲＡＮエリアを識別する前記受信情報にさらに基づく、付記６に記載の方法。
【０１１２】
（付記８）
各ＲＡＮエリアは、前記基地局に関連付けられたトラッキングエリアを形成する（例えば、より小さいエリアを示す）少なくとも１つのセルのサブセットを含む、付記６または７に記載の方法。
【０１１３】
（付記９）
前記少なくとも１つの個別のＲＡＮエリアを識別する情報は、他の所定の基地局について、当該基地局との基地局間ダイレクトインタフェースまたは基準点（および、Ｘ２またはＸｎインタフェースなど）を介して受信される、付記６、７または８に記載の方法。
【０１１４】
（付記１０）
前記少なくとも１つの個別のＲＡＮエリアを識別する情報は、運用、管理および保守（ＯＡＭ：Ｏｐｅｒａｔｉｏｎｓ，  Ａｄｍｉｎｉｓｔｒａｔｉｏｎ  ａｎｄ  Ｍａｉｎｔｅｎａｎｃｅ）機能によって受信される、付記６、７または８に記載の方法。
【０１１５】
（付記１１）
前記ＲＡＮベースの通知エリアを定義する情報は、前記ＲＡＮベースの通知エリアを形成し、前記ＵＥの登録エリアの一部を形成する少なくとも１つのトラッキングエリアの少なくとも一部を形成する少なくとも１つのセルのリストを含む、付記１〜１０のいずれか一項に記載の方法。
【０１１６】
（付記１２）
前記ＲＡＮベースの通知エリアを定義する情報は、ＲＡＮベースの通知エリアを形成する少なくとも１つのＲＡＮエリアのリストを含み、リスト内の各ＲＡＮエリアは、UEの登録エリアの一部を形成するトラッキングエリアの少なくとも一部を形成する少なくとも１つのセルをそれぞれ含む、付記１〜１０のいずれか一項に記載の方法。
【０１１７】
（付記１３）
前記無線アクセスネットワーク（ＲＡＮ）ベースの通知エリアは、前記登録エリアを形成する（例えば、登録エリアより小さいエリアを示す）セルのサブセットを構成する少なくとも１つのセルを示すために、前記少なくとも１つの個別のトラッキングエリアを識別する受信情報と、前記登録エリアを識別する受信情報とに基づいて定義される、付記１〜１２のいずれか一項に記載の方法。
【０１１８】
（付記１４）
前記基地局の少なくとも１つのセルがその一部を形成する少なくとも１つの個別のＲＡＮエリアを識別する情報をブロードキャストすることをさらに含む、付記１〜１３のいずれか一項に記載の方法。
【０１１９】
（付記１５）
前記少なくとも１つの個別のＲＡＮエリアを識別する情報は、少なくともトラッキングエリアを識別するトラッキングエリアコード（ＴＡＣ）（例えば、地上波公共移動通信ネットワーク（ＰＬＭＮ））と、前記トラッキングエリア内で一意にＲＡＮエリアを識別するＲＡＮエリアコード（ＲＡＮＡＣ）とを含む、付記１４に記載の方法。
【０１２０】
（付記１６）
通信システム内のコアネットワーク機能によって実行される方法であって、
ユーザ機器（ＵＥ）のコアネットワーク登録エリアと、少なくとも前記ＵＥが位置するトラッキングエリアを含む登録エリアとを定義すること、および
前記ＵＥのサービング基地局に、前記ＵＥの登録エリアを定義する情報を与えること、を含む方法。
【０１２１】
（付記１７）
通信システム内のユーザ機器（ＵＥ）によって実行される方法であって、
少なくとも１つの基地局から、少なくとも１つの個別のトラッキングエリアを識別する情報と、登録エリアを識別する受信情報と、前記ＵＥの無線アクセスネットワーク（ＲＡＮ）ベースの通知エリアとを受信することを含み、前記ＲＡＮベースの通知エリアは、前記ＵＥが非アクティブ状態を維持して移動することのできるエリアを示し、
前記ＵＥの無線アクセスネットワーク（ＲＡＮ）ベースの通知エリアは、少なくとも１つの個別のトラッキングエリアを識別する情報と、登録エリアを識別する情報とに基づいて前記ＵＥのコアネットワーク登録エリアのサブセットとして定義されるエリアを示す、方法。
【０１２２】
（付記１８）
通信システムの基地局であって、コントローラおよびトランシーバを具備し、
前記コントローラは、前記トランシーバを、
少なくとも１つの他の基地局から、前記他の基地局の各々の少なくとも１つのセルに関連付けられた少なくとも１つの個別のトラッキングエリアを識別する情報を受信し、
コアネットワークから、ユーザ機器（ＵＥ）の登録エリアを識別する情報と、少なくとも前記ＵＥが位置するトラッキングエリアを含む登録エリアとを受信するように制御し、
前記少なくとも１つの個別のトラッキングエリアを識別する受信情報と、前記登録エリアを識別する受信情報とに基づいて、前記ＵＥが非アクティブ状態を維持して移動することのできるエリアを示す前記ＵＥの無線アクセスネットワーク（ＲＡＮ）ベースの通知エリアを定義し、
前記トランシーバを前記ＲＡＮベースの通知エリアを定義する情報を前記ＵＥに送信するように制御するように構成される、基地局。
【０１２３】
（付記１９）
通信システムのコアネットワーク機能であって、
コントローラおよびトランシーバを具備し、
前記コントローラは、
少なくとも前記ＵＥが位置するトラッキングエリアを含むユーザ機器（ＵＥ）のコアネットワーク登録エリアを定義し、
トランシーバを、前記ＵＥのサービング基地局に前記ＵＥの前記登録エリアを定義する情報を与えるように制御するように構成される、コアネットワーク機能。
【０１２４】
（付記２０）
通信システム内のユーザ機器（ＵＥ）であって、コントローラおよびトランシーバを具備し、
前記コントローラは、前記トランシーバを、少なくとも１つの基地局から、少なくとも１つの個別のトラッキングエリアを識別する情報と、登録エリアを識別する受信情報と、前記ＵＥが非アクティブ状態を維持して移動することのできるエリアを示す前記ＵＥの無線アクセスネットワーク（ＲＡＮ）ベースの通知エリアとを受信するように制御し、
前記ＵＥの無線アクセスネットワーク（ＲＡＮ）ベースの通知エリアは、少なくとも１つの個別のトラッキングエリアを識別する情報と、登録エリアを識別する情報とに基づいて、前記ＵＥのコアネットワーク登録エリアのサブセットとして定義されるエリアを示す、ユーザ機器。
【０１２５】
（付記２１）
付記１８に記載の基地局、付記１９に記載のコアネットワーク機能、および付記２０に記載のＵＥを備える、通信システム。
【０１２６】
（付記２２）
プラグラム可能な通信デバイスに付記１〜１７のいずれか一項に記載の方法を実行させるためのコンピュータによって実行可能な命令を備える、コンピュータによって実行可能な命令製品。
【０１２７】
本出願は、２０１７年８月１０日に出願された英国特許出願第１７１２８６２．０号に基づく優先権の利益に基づいており、その開示はその全体が参照により本明細書に組み込まれる。
【図１】
2020530242.tif 000003
【図２】
2020530242.tif 000004
【図３】
2020530242.tif 000005
【図４】
2020530242.tif 000006
【図５】
2020530242.tif 000007
【図６】
2020530242.tif 000008
【図７】
2020530242.tif 000009
【図８】
2020530242.tif 000010
【図９】
2020530242.tif 000011
【手続補正書】
【提出日】令和2年2月7日(2020.2.7)
【手続補正１】
【補正対象書類名】特許請求の範囲
【補正対象項目名】全文
【補正方法】変更
【補正の内容】
【特許請求の範囲】
【請求項１】
通信システムの無線アクセスネットワーク（ＲＡＮ）ノードによって実行される方法であって、
少なくとも１つの他のＲＡＮノードから、前記少なくとも１つの他のＲＡＮノードの少なくとも１つのセルに関連付けられた少なくとも１つの個別のトラッキングエリアを識別する情報を受信すること、
アクセス及びモビリティ管理機能（ＡＭＦ）から、トラッキングエリアのトラッキングエリア識別子を少なくとも含むトラッキングエリアリストを含み、ユーザ機器（ＵＥ）に設定された登録エリアを識別する情報を受信すること、
前記ＵＥのＲＡＮベースの通知エリアであって、少なくとも１つのセルをカバーし、前記ＵＥがＲＲＣ非アクティブ状態を維持して移動することのできるエリアを示し、登録エリア内に含まれる、前記ＲＡＮベースの通知エリアを、ＵＥ登録エリアを考慮に入れて設定すること、
前記ＲＲＣ非アクティブ状態の前記ＵＥから、ＲＡＮベースの通知エリア更新を示すメッセージを受信すること、および
前記ＲＡＮベースの通知エリア更新を示す前記メッセージの受信後に、前記ＲＡＮベースの通知エリアを前記ＵＥに設定するための情報を前記ＵＥに送信すること、を含む方法。
【請求項２】
前記登録エリアを識別する情報は、前記ＵＥ用の初期ＵＥコンテキストセットアップ手順の一部として受信される、請求項１に記載の方法。
【請求項３】
前記ＵＥの登録エリアを識別する情報は、初期ＵＥコンテキストセットアップ要求メッセージ内で受信される、請求項２に記載の方法。
【請求項４】
少なくとも１つの個別のＲＡＮエリアを識別する情報を受信することをさらに含む、請求項１〜３のいずれか一項に記載の方法。
【請求項５】
前記ＵＥのＲＡＮベースの通知エリアの前記設定は、前記少なくとも１つの個別のＲＡＮエリアを識別する受信情報にさらに基づく、請求項４に記載の方法。
【請求項６】
前記少なくとも１つの他のＲＡＮノードの少なくとも１つのセルに関連付けられた少なくとも１つの個別のトラッキングエリアを識別する情報は、前記少なくとも１つの他のＲＡＮノードから、ＲＡＮエリアコードとともに受信される、請求項１〜５のいずれか一項に記載の方法。
【請求項７】
前記少なくとも１つの個別のＲＡＮエリアを識別する情報は、トラッキングエリア識別子（ＴＡＩ）と、オプションとして、ＲＡＮＡＣ（無線アクセスネットワークエリアコード）と、を含む、請求項１〜６のいずれか一項に記載の方法。
【請求項８】
前記ＲＡＮベースの通知エリアを前記ＵＥに設定するための情報は、前記ＲＡＮベースの通知エリアを構成する少なくとも１つのセルの明示的なリストを含む、請求項１〜７のいずれか一項に記載の方法。
【請求項９】
前記ＲＡＮベースの通知エリアを前記ＵＥに設定するための情報は、ＲＡＮエリアの少なくとも１つのＲＡＮエリア識別子を含む、請求項１〜７のいずれか一項に記載の方法。
【請求項１０】
前記ＲＡＮベースの通知エリアは、前記ＵＥ登録エリアを考慮に入れて、前記登録エリアを形成するセルのサブセットを構成する少なくとも１つのセルを示すように設定される、請求項１〜９のいずれか一項に記載の方法。
【請求項１１】
通信システムのユーザ機器（ＵＥ）によって、前記ＵＥがＲＲＣ非アクティブ状態である間に実行される方法であって、
少なくとも１つの無線アクセスネットワーク（ＲＡＮ）ノードに、ＲＡＮベースの通知エリア更新を示すメッセージを送信すること、
前記ＲＡＮベースの通知エリア更新を示す前記メッセージの送信後に、前記少なくとも１つのＲＡＮノードから、ＲＡＮベースの通知エリアを前記ＵＥに設定するための情報を受信することを含み、前記ＲＡＮベースの通知エリアは、前記ＵＥの登録エリアを考慮に入れて、少なくとも１つのセルをカバーし、登録エリア内に含まれ、前記ＵＥが非アクティブ状態を維持して移動することのできるエリアを示すように設定されるエリアを示す、方法。
【請求項１２】
通信システムの無線アクセスネットワーク（ＲＡＮ）ノードであって、
コントローラおよびトランシーバを具備し、
前記コントローラは、前記トランシーバを、
少なくとも１つのＲＡＮノードから、前記少なくとも１つの他のＲＡＮノードの少なくとも１つのセルに関連付けられた少なくとも１つの個別のトラッキングエリアを識別する情報を受信し、
アクセス及びモビリティ管理機能（ＡＭＦ）から、トラッキングエリアのトラッキングエリア識別子を少なくとも含むトラッキングエリアリストを含み、ユーザ機器（ＵＥ）に設定された登録エリアを識別する情報を受信するように制御し、
前記ＵＥのＲＡＮベースの通知エリアであって、少なくとも１つのセルをカバーし、前記ＵＥがＲＲＣ非アクティブ状態を維持して移動することのできるエリアを示し、登録エリア内に含まれる、前記ＲＡＮベースの通知エリアを、ＵＥ登録エリアを考慮に入れて設定し、
前記ＲＲＣ非アクティブ状態の前記ＵＥから、ＲＡＮベースの通知エリア更新を示すメッセージを受信し、
前記トランシーバを、前記ＲＡＮベースの通知エリア更新を示す前記メッセージの受信後に、前記ＲＡＮベースの通知エリアをＵＥに設定するための情報をＵＥに送信するように制御するように構成される、ＲＡＮノード。
【請求項１３】
通信システムのユーザ機器（ＵＥ）であって、
コントローラおよびトランシーバを具備し、
前記コントローラは、前記トランシーバを、
少なくとも１つの無線アクセスネットワーク（ＲＡＮ）ノードに、ＲＡＮベースの通知エリア更新を示すメッセージを送信し、
前記ＲＡＮベースの通知エリア更新を示す前記メッセージの送信後に、前記少なくとも１つのＲＡＮノードから、ＲＡＮベースの通知エリアを前記ＵＥに設定するための情報を受信するように制御し、
前記ＲＡＮベースの通知エリアは、登録エリアを考慮に入れて、少なくとも１つのセルをカバーし、登録エリアに含まれ、前記ＵＥが非アクティブ状態を維持して移動することのできるエリアを示すように設定されたエリアを示す、ユーザ機器。
【請求項１４】
請求項１２に記載の無線アクセスネットワーク（ＲＡＮ）ノードと、コアネットワーク機能と、請求項１３に記載のＵＥとを備える通信システム。
【請求項１５】
プラグラム可能な通信デバイスに、請求項１〜１１のいずれか一項に記載の方法を実行させるためのコンピュータによって実行可能な命令を備える、コンピュータによって実行可能なプログラム。
【国際調査報告】
2020530242.tif 000012
2020530242.tif 000013
2020530242.tif 000014